(57)【特許請求の範囲】
【請求項１】
下端部を躯体の立上がり部に埋設された固定支柱に対して囲い部材を取付けてなる墜落防止手すりの改修工法であって、
前記固定支柱のうち前記立上がり部上面近傍の根元と該根元より上方且つ前記囲い部材より下方の所定位置との間の部分を切除して、前記立上がり部に残る下側残余支柱部と前記囲い部材に残る上側残余支柱部とに切り離す切除ステップと、
前記立上がり部における前記上側残余支柱部の真下位置から外れた位置に、前記上側残余支柱部を補強する補強具を仮設する仮補強ステップと、
前記切除ステップ及び前記仮補強ステップの後に、前記下側残余支柱部の残る前記立上がり部を補修する補修ステップと、
前記補修ステップの後に、前記上側残余支柱部から前記囲い部材を分離する分離ステップと、
前記囲い部材を分離した前記上側残余支柱部及び該上側残余支柱部を補強する前記補強具を前記立上がり部から撤去する撤去ステップと、
前記補強具を撤去した前記立上がり部の上面の所定位置に、新規固定支柱立設用の支柱ブラケットを設置する設置ステップと、
前記支柱ブラケットを用いて前記立上がり部に新規固定支柱を立設する立設ステップと、
前記立上がり部に立設した前記新規固定支柱に対して前記囲い部材を取付ける組立ステップと、
前記立上がり部から前記補強具を撤去した後に、前記立上がり部における前記補強具の撤去跡を修復する修復ステップと、
を備えていることを特徴とする墜落防止手すりの改修工法。
【請求項２】
請求項１において、
前記切除ステップ以後で前記補修ステップよりも前に、前記下側残余支柱部の少なくとも前記立上がり部上面よりも上方に突出した部位を除去する、ことを特徴とする墜落防止手すりの改修工法。
【請求項３】
請求項１または請求項２において、
前記補修ステップにおいて、前記下側残余支柱部を前記立上がり部内に埋め立てる、ことを特徴とする墜落防止手すりの改修工法。
【請求項４】
請求項１ないし請求項３のいずれか１項において、
前記仮補強ステップにおいて、前記補強具を前記立上がり部の内側側面に仮設すると共に、該補強具を前記上側残余支柱部に固定する、ことを特徴とする墜落防止手すりの改修工法。
【請求項５】
請求項４において、
前記仮補強ステップにおいて、前記立上がり部の内側側面にアンカーボルトを植え込んで、前記補強具を該アンカーボルトに固定することで前記立上がり部に仮設する、ことを特徴とする墜落防止手すりの改修工法。
【請求項６】
請求項５において、
前記撤去ステップにおいて、前記補強具を前記アンカーボルトから取外し、
前記修復ステップにおいて、前記アンカーボルトにおける前記立上がり部の内側側面から突出した部位を切断する、ことを特徴とする墜落防止手すりの改修工法。
【請求項７】
請求項６において、
前記修復ステップにおいて、前記立上がり部に残る前記アンカーボルトを打ち込んで埋没させる、ことを特徴とする墜落防止手すりの改修工法。
【発明の詳細な説明】
【技術分野】
【０００１】
本発明は、墜落防止手すりの改修工法に関するものである。
【背景技術】
【０００２】
ベランダやバルコニ等の躯体に固定される墜落防止手すりは、下端部が躯体内に埋設された固定支柱に対して、笠木や格子材によって構成される囲い部材が取付けられた構造とされる。固定支柱は、墜落防止手すりの強度を確保する重要部材となるが、長年の使用により劣化が避けられないものである。
【０００３】
従来、固定支柱の劣化した墜落防止手すりを改修する場合に、躯体から既設の固定支柱と共に囲い部材も撤去されることから、新たに躯体に新規支柱を設置して囲い部材を取付けるまでの間、住民がベランダから落下しないよう安全対策をとる必要があった。
【０００４】
そこで、特許文献１記載の手すりの補修方法では、既存の固定支柱の根元を切断した後に、手すりを吊り上げた状態で、既存の固定支柱の腐食部分の除去と躯体の補修とを行った後、吊り上げた手すりを降ろし、さらに躯体に取付けた支持用ブラケットに固定した新規支柱によって既存の固定支柱を補強するものとなっている。また、特許文献２記載の手すり改修工法では、既存の固定支柱に並設して新規支柱を増設し、この新規支柱に新規の笠木や格子材を取付けるものとなっている。
【先行技術文献】
【特許文献】
【０００５】
【特許文献１】特開２０１３−１４７８７７号公報
【特許文献２】特開２００７−１３８６５１号公報
【発明の概要】
【発明が解決しようとする課題】
【０００６】
ところで、特許文献１記載の手摺の補修方法では、手摺昇降装置により吊り上げられた手すりが、落下防止のための安全柵として機能するものの、手摺昇降装置等の大掛かりな設備が必要であった。また、手摺昇降装置で手すりを吊り上げている間、墜落防止手すりの改修に合わせて、躯体を防水加工する等の作業を行う際、手摺昇降装置が作業の邪魔になる。
【０００７】
特許文献２記載の手すり改修工法では、改修工事中に躯体から手すりが撤去されないため、住民がベランダから落下するおそれはないものの、１本の既設固定支柱に対し複数の新規固定支柱を追加するため、墜落防止手すりが固定支柱だらけとなり、見栄えが悪くなっていた。
【０００８】
本発明は以上のような事情を勘案してなされたもので、その目的は、改修工事中に住民の安全を確保するための大掛かりな設備が必要とせず、改修工事後の見栄えもよい墜落防止手すりの改修工法を提供することにある。
【課題を解決するための手段】
【０００９】
前記目的を達成するため、本発明にあっては次のような解決手段を採択してある。すなわち、
下端部を躯体の立上がり部に埋設された固定支柱に対して囲い部材を取付けてなる墜落防止手すりの改修工法であって、
前記固定支柱のうち前記立上がり部上面近傍の根元と該根元より上方且つ前記囲い部材より下方の所定位置との間の部分を切除して、前記立上がり部に残る下側残余支柱部と前記囲い部材に残る上側残余支柱部とに切り離す切除ステップと、
前記立上がり部における前記上側残余支柱部の真下位置から外れた位置に、前記上側残余支柱部を補強する補強具を仮設する仮補強ステップと、
前記切除ステップ及び前記仮補強ステップの後に、前記下側残余支柱部の残る前記立上がり部を補修する補修ステップと、
前記補修ステップの後に、前記上側残余支柱部から前記囲い部材を分離する分離ステップと、
前記囲い部材を分離した前記上側残余支柱部及び該上側残余支柱部を補強する前記補強具を前記立上がり部から撤去する撤去ステップと、
前記補強具を撤去した前記立上がり部の上面の所定位置に、新規固定支柱立設用の支柱ブラケットを設置する設置ステップと、
前記支柱ブラケットを用いて前記立上がり部に新規固定支柱を立設する立設ステップと、
前記立上がり部に立設した前記新規固定支柱に対して前記囲い部材を取付ける組立ステップと、
前記立上がり部から前記補強具を撤去した後に、前記立上がり部における前記補強具の撤去跡を修復する修復ステップと、
を備えているようにしてある。
【００１０】
上記解決手段によれば、切除ステップで固定支柱の所定部位を切除した後、立上がり部に補強具を仮設して上側残余支柱部を補強することで、改修工事中の墜落防止手すりの強度を確保することができる。また、上記解決手段によれば、既設の固定支柱を新規固定支柱に取替えることにより、墜落防止手すりの外観を大きく損なうことなく改修することが可能である。さらに、組立ステップで既存の囲い部材を再利用することにより、改修費用や廃棄物の低減を図ることができ、その際、腐食や破損した部品のみを新品の部材に取替えることも可能である。
【００１１】
また、本発明に係る墜落防止手すりの改修工法は、
前記切除ステップ以後で前記補修ステップよりも前に、前記下側残余支柱部の少なくとも前記立上がり部上面よりも上方に突出した部位を除去する、ことが好ましい。
【００１２】
また、本発明に係る墜落防止手すりの改修工法は、
前記補修ステップにおいて、前記下側残余支柱部を前記立上がり部内に埋め立てる、ことが好ましい。
【００１３】
これにより、下側残余支柱部の腐食や立上がり部の劣化を抑制することができる。
【００１４】
また、本発明に係る墜落防止手すりの改修工法は、
前記仮補強ステップにおいて、前記補強具を前記立上がり部の内側側面に仮設すると共に、該補強具を前記上側残余支柱部に固定する、ようにすることが好ましい。
【００１５】
これに加えて、前記仮補強ステップにおいて、前記立上がり部の内側側面にアンカーボルトを植え込んで、前記補強具を該アンカーボルトに固定することで前記立上がり部に仮設する、ようにすることが好ましい。
【００１６】
これにより、作業者が仮補強ステップの作業を躯体側から行うことができ、墜落防止手すりの改修作業が容易となる。また、改修工事中、補強具が躯体の外側からほとんど見えず、さらに修復ステップの後、補強具の撤去跡を修復した部分が躯体の外側から見えないため、改修工事により躯体の外観が損なわない。
【００１７】
さらに、前記撤去ステップにおいて、前記補強具を前記アンカーボルトから取外し、
前記修復ステップにおいて、前記アンカーボルトにおける前記立上がり部の内側側面から突出した部位を切断する、ようにすることが好ましい。
【００１８】
その上、前記修復ステップにおいて、前記立上がり部に残る前記アンカーボルトを打ち込んで埋没させる、ようにすることが好ましい。
【００１９】
これにより、撤去ステップや修復ステップの作業の簡易化が図れる。
【発明の効果】
【００２０】
本発明によれば、墜落防止手すりの改修工事中に住民の安全を確保するための大掛かりな設備が不要であり、また、改修工事後の墜落防止手すりの見栄えもよくすることができる。
【図面の簡単な説明】
【００２１】
【図１】本発明により改修対象となる墜落防止手すりの一例を示す図。
【図２】図１において、中央の固定支柱に対して切除ステップを実施した状態を示す図。
【図３】図２において、３本の固定支柱に対して切除ステップ及び仮補強ステップを実施した状態を示す図。
【図４】図３において、墜落防止手すりに対して補修ステップ及び分離ステップを実施した状態を示す図。
【図５】図４において、補強具及び上側残余支柱部に対して撤去ステップを実施した状態を示す図。
【図６】図５において、パラペットに対して設置ステップを実施した状態を示す図。
【図７】図６において、パラペットに対して立設ステップを実施した状態を示す図。
【図８】図７において、新規固定支柱に対して組立ステップを実施した状態を示す図。
【図９】図１の墜落防止手すりにおける中央の固定支柱の側面を示す説明図。
【図１０】図９の固定支柱に対して切除ステップを実施した状態を示す説明図。
【図１１】図１０において、下側残余支柱部の上端を研削した状態を示す説明図。
【図１２】図１１において、上側残余支柱部を補強具で補強した状態（仮補強ステップ）を示す説明図。
【図１３】図１２において、パラペットを補修した状態（補修ステップ）を示す説明図。
【図１４】図１３において、上側残余支柱部から囲い部材を分離した状態（分離ステップ）を示す説明図。
【図１５】図１４において、補強具及び上側残余支柱部をパラペットから撤去した状態（撤去ステップ）を示す説明図。
【図１６】図１５において、パラペット上面に支柱ブラケットを設置した状態（設置ステップ）を示す説明図。
【図１７】図１６において、支柱ブラケットを用いてパラペットに新規固定支柱を立設した状態を示す説明図。
【図１８】図１７において、新規固定支柱に囲い部材を取付けた状態を示す説明図。
【図１９】図１８において、パラペットにおける補強具の撤去跡を修復した状態（修復ステップ）を示す説明図。
【発明を実施するための形態】
【００２２】
本発明の墜落防止手すりの改修工法の一実施形態を、図面を参照しつつ説明する。
【００２３】
図１及び図９は、一般的な墜落防止手すりＡを示すものである。図９において、符号１は、ベランダやバルコニ等の躯体である。この躯体１に立上がるパラペット２（立上がり部）に、墜落防止手すりＡが設置されている。この墜落防止手すりＡは、下端部をパラペット２に埋設された複数本の固定支柱１０と、固定支柱１０に取付けられた囲い部材２０とを有する。囲い部材２０は、複数の固定支柱１０の上端に架渡された笠木２１と、固定支柱１０における笠木２１よりも下方の位置に取付けられた複数の格子材２２と、で構成されている。笠木２１、格子材２２はそれぞれ、ボルトや金具等の固定具を利用して、固定支柱１０に取付けられている。なお、囲い部材２０には、格子材２２の代わりにパネル材が用いられる、あるいは格子材とパネル材とが併用される等、適宜の構造が採択されていてもよく、また、囲い材２０としては、笠木２１と格子材２２等を一体的に形成したものであってもよい。
【００２４】
図９に示すように、固定支柱１０は、金属製の筒状の支柱本体１２と、支柱本体１２の内部に配設された芯材１１とによって構成されている。芯材１１は、金属にて筒状に形成されているが、柱状、板状、断面Ｈ状等、適宜の構造が採択されていてもよい。また、支柱本体１２及び芯材１１は、それぞれ下端部をパラペット２内に埋め込まれた状態でパラペット２に立設されている。なお、支柱本体１２は、その下端部をパラペット２の上面２ａに載置された状態でパラペット２に立設されていてもよい。また、パラペット２の上面２ａは略水平面に形成されているが、内側側面２ｂ側に下り傾斜した傾斜面等に形成されていてもよい。
【００２５】
次に、墜落防止手すりＡを本発明の改修工法で改修する一例について説明する。
【００２６】
まず、切除ステップとして、固定支柱１０のうちパラペット２上面２ａから上方へ伸びる部分のうち、パラペット２上面２ａ近傍の根元と、該根元より上方且つ格子材２２下面より下方の所定位置とを金のこぎりや電動のこぎり等の切断工具で切断し、３つに切断した中間部分を取り除く（図２、図１０参照）。そして、この切除により、固定支柱１０は、囲い部材２０に残る上側残余支柱部１０Ａと、パラペット２に残る下側残余支柱部１０Ｂとに分離されることになる。また、上述の切断工具で切除しきれずに、下側残余支柱部１０Ｂの上端が周囲のパラペット２上面２ａよりも上方に突出している。したがって、例えば電動サンダ等によって下側残余支柱部１０Ｂ周囲のパラペット２上面２ａを研削すると共に、下側残余支柱部１０Ｂの上端部を切除する（図１１参照）。この下側残余支柱部１０Ｂの上端部の切除は、後述の仮補強ステップの後で補修ステップよりも前に実施してもよい。なお、図１０、図１４〜図１９においては、下側残余支柱部１０Ｂについて、その外観を示しているが、図１１〜図１３においては、下側残余支柱部１０Ｂを断面にて示してある。
【００２７】
次に、仮補強ステップとして、上側残余支柱部１０Ａを補強する補強具４０を、パラペット２における上側残余支柱部１０Ａの真下位置から外れた位置に仮設する（図３、図１２参照）。詳述すると、パラペット２の内側側面２ｂに補強具４０を仮設すると共に、この補強具４０を上側残余支柱部１０Ａにねじ４１等で固定する。本実施の形態では、図１２に示すように、補強具４０は、金属板をパラペット２の形状や上側残余支柱部１０Ａの位置に応じて適宜折り曲げて形成されて、十分な強度（剛性）を有するものとされている。パラペット２への補強具４０の仮設は、具体的には、パラペット２の内側側面２ｂにアンカーボルト４２を植え込んで、このアンカーボルト４２によって補強具４０をパラペット２に固定する。
【００２８】
このように、上側残余支柱部１０Ａは、パラペット２に仮設された補強具４０によって補強されるため、囲い部材２０が住民の荷重を受けても上側残余支柱部１０Ａが倒れないようにされる。そして、補強具４０に補強された上側残余支柱部１０Ａと、この上側残余支柱部１０Ａに取付けられている囲い部材２０とによって、十分な強度を有する仮の墜落防止手すりＡ−１が構成されることとなって、その後の改修作業の期間中での住民の安全が確保される。
【００２９】
なお、囲い部材２０の各部材の重量、手すり壁への固定の有無、その固定具の状態等に応じて、パラペット２に立設された複数の固定支柱１０に対し、１本ずつ切除ステップ及び仮補強ステップを繰り返し実施したり、若しくは数本ずつ切除ステップ及び仮補強ステップを繰り返し実施したり、または、全ての固定支柱１０に対して切除ステップを実施した後に全ての上側残余支柱部１０Ａに対して仮補強ステップを実施することもできる。
【００３０】
次に、補修ステップとして、下側残余支柱部１０Ｂの残るパラペット２を補修すべく、下側残余支柱部１０Ｂをパラペット２内に埋め立てる（図１３参照）。本実施形態では、下側残余支柱部１０Ｂの内部空間内や、パラペット２の研削された窪みに対して、モルタル等の充填剤３０を充填することにより、下側残余支柱部１０Ｂの上端部をパラペット２内に埋め立てて、パラペット２の上面を平滑に仕上げる。あるいは、エポキシ樹脂等を下側残余支柱部１０Ｂの内部空間内に上側開口部付近まで充填し、エポキシ樹脂等の硬化後、パラペット２の研削された窪みにモルタル等を充填することにより、下側残余支柱部１０Ｂの上端部をパラペット２内に埋め立てて、パラペット２の上面を平滑に仕上げてもよい。そして、パラペット２の充填剤３０の養生後、パラペット２の上面２ａに防水処理を施す。
【００３１】
なお、躯体１の改修に併せて墜落防止手すりの改修を行う場合には、仮補強ステップの後に、躯体１のパラペット２（立上がり部）以外の部分の補修作業と共に上述の補修ステップの作業を実施することにより、これらの補修を効率よく行うことができ、この間、補強具４０を利用した仮の墜落防止手すりＡ−１により住民の安全も確保できる。
【００３２】
次に、分離ステップとして、上側残余支柱部１０Ａから囲い部材２０を分離する。詳述すると、上側残余支柱部１０Ａと笠木２１との固定具や上側残余支柱部１０Ａと格子材２２との固定具を取外す。そして、図４及び図１４に示すように、上側残余支柱部１０Ａの周囲の笠木２１や格子材２２を仮の墜落防止手すりＡ−１から取外す。このとき、上側残余支柱部１０Ａは、上述の仮補強ステップで設けた補強具４０によって支持されている。したがって、上側残余支柱部１０Ａは、分離ステップで囲い部材２０を分離されても、そのままの位置に補強具４０によって保持される。
【００３３】
次に、撤去ステップとして、図５及び図１５に示すように、補強具４０と該補強具４０に補強された上側残余支柱部１０Ａをパラペット２から撤去する。本実施形態では、補強具４０からねじ４１を外して上側残余支柱部１０Ａを取外し、さらにアンカーボルト４２の固定を解除してパラペット２から補強具４０を撤去する。
【００３４】
次に、設置ステップとして、図６及び図１６に示すように、パラペット２の上面２ａにおける下側残余支柱部１０Ｂの略真上の位置に、新規固定支柱立設用の支柱ブラケット５０を設置する。本実施形態では、パラペット２の上面２ａにアンカーボルト５１を植え込んで、該アンカーボルト５１に支柱ブラケット５０を固定する。
【００３５】
次に、立設ステップとして、図７及び図１７に示すように、支柱ブラケット５０を用いて立上がり部２に新規固定支柱６０を立設する。  具体的には、パラペット２の上面２ａに設置した支柱ブラケット５０に対して、新規固定支柱６０の下端部を支持固定させることにより、パラペット２に新規固定支柱６０を立設する。新規固定支柱６０は、固定支柱１０と同様、金属製の筒状の支柱本体６２と、支柱本体６２の内部に配設された芯材６１とを備えているが、囲い部材２０に対応したものであれば適宜の構造を採択することができる。なお、支柱ブラケット５０は、ボルト等で新規固定支柱６０を直接固定するもの、ボルト等を利用して新規支柱６０をその周囲から締め付ける締付機構を有するもの等、適宜の構造のものを用いることができる。
【００３６】
次に、組立ステップとして、図８及び図１８に示すように、新規固定支柱６０に対して囲い部材２０を取付けることにより、改修した墜落防止手すりＡ−２が得られる。ここでは、分離ステップで取外した笠木２１及び格子材２２のすべてを、新規固定支柱６０に取付けて再利用したが、これら笠木２１及び格子材２２のうちで一部の部材が腐食や破損等のため再利用が好ましくない場合には、再利用できる笠木２１や格子材２２を新規固定支柱６０に取付けて、腐食や破損等のある笠木２１や格子材２２を新規な笠木や格子材に交換して新規固定支柱６０に取付けることも可能である。このように、既存の囲い部材２０を再利用することにより、改修費用の低減や廃棄物を減らす等の観点から好ましいものとなる。
【００３７】
次に、修復ステップとして、パラペット２における補強具４０の撤去跡を修復する。本実施形態では、図１９に示すように、撤去ステップで補強具４０を撤去した後にパラペット２に残ったアンカーボルトに対して、パラペット２の内側側面２ｂから側方に突出した部位を切断する。さらに、パラペット２に残ったアンカーボルトを打ち込んで、パラペット２内に埋没させる。そして、躯体１の改修に併せて墜落防止手すりの改修を行う場合には、躯体１に防水塗装する際に、パラペット２（立上がり部）の内側側面２ｂも防水塗装することで、アンカーボルトの埋没部分に対する防水処理とすることができる。あるいは、パラペット２の内側側面２ｂにおけるアンカーボルトの埋没部分に対し、シリコーンやウレタン等のシーリング材で防水処理を施してもよい。
【００３８】
以上、本実施形態によれば、墜落防止手すりの改修工事中に住民の安全を確保するための大掛かりな設備が不要であり、また、既設の固定支柱１０を新規固定支柱６０に取替えることにより、墜落防止手すりの外観を大きく損なうことなく改修することが可能である。なお、本発明は、上述の実施形態に限定されるものではなく、本発明の目的を達成できる範囲において、適宜の変更や付加が可能である。また、本発明は、上述または図示したパラペット２（立上がり部）に限られず、上側残余支柱部を補強する補強具を仮設可能であり、新規固定支柱立設用の支柱ブラケットを設置可能であれば、様々な形状の立上がり部に適用することができる。
【産業上の利用可能性】
【００３９】
本発明は、ベランダ、バルコニ、屋上、廊下、階段等に設置された墜落防止手すりの改修、特に立上がり部に立設された固定支柱を新規固定支柱に取替える改修に利用することができる。
【符号の説明】
【００４０】
Ａ：墜落防止手すり（改修前）
Ａ−１：墜落防止手すり（仮）
Ａ−２：墜落防止手すり（改修後）
１：躯体
２：パラペット（立上がり部）
２ａ：上面
２ｂ：内側側面
１０：固定支柱（既設）
１０Ａ：上側残余支柱部
１０Ｂ：下側残余支柱部
１１：芯材
１２：支柱本体
２０：囲い部材
２１：笠木
２２：格子材
３０：充填剤
４０：補強具
４１：ねじ
４２：アンカーボルト
５０：支柱ブラケット
４１：アンカーボルト
６０：新規固定支柱
６１：芯材
６２：支柱本体
【図１】
0006391547.tif 000002
【図２】
0006391547.tif 000003
【図３】
0006391547.tif 000004
【図４】
0006391547.tif 000005
【図５】
0006391547.tif 000006
【図６】
0006391547.tif 000007
【図７】
0006391547.tif 000008
【図８】
0006391547.tif 000009
【図９】
0006391547.tif 000010
【図１０】
0006391547.tif 000011
【図１１】
0006391547.tif 000012
【図１２】
0006391547.tif 000013
【図１３】
0006391547.tif 000014
【図１４】
0006391547.tif 000015
【図１５】
0006391547.tif 000016
【図１６】
0006391547.tif 000017
【図１７】
0006391547.tif 000018
【図１８】
0006391547.tif 000019
【図１９】
0006391547.tif 000020